(57)【要約】【課題】電動モータの動力伝達系統を単純にできると共に、全高を低くできるゴミ圧縮機とする。【解決手段】機体１にねじ杆３１を取付け、圧縮部材２の上部に設けたナット３２をねじ杆３１に螺合し、この圧縮部材２のモータ収納部２２内に電動モータ３０を取付け、この電動モータ３０の出力側を伝動機構を介して前記ナット３２に連結して電動モータ３０を駆動することで圧縮部材２が上下移動するようにし、前記機体１にゴミ収納部４を圧縮部材２と対向して取付け、このゴミ収納部４に収納したゴミを圧縮部材２で圧縮できるようにしたゴミ圧縮機。【選択図】　　　図１
2004059226.tif 000002
【特許請求の範囲】
【請求項１】
機体１と、この機体１に上下移動自在に設けた圧縮部材２と、この圧縮部材２を移動する移動装置３と、前記圧縮部材２と対向したゴミ収納部４を備え、
前記圧縮部材２は圧縮部２０と外周部２１でモータ収納部２２を有する形態で、
前記移動装置３は、前記圧縮部材２のモータ収納部２２に取付けた電動モータ３０と、前記機体１に取付けたねじ杆３１と、前記圧縮部材２の外周部２１上部に回転自在に取付けられ前記ねじ杆３１に螺合したナット３２と、前記モータ３０の出力をナット３２に伝動する伝動機構を有し、
前記ゴミ収納部４は圧縮部材２が入り込む大きさの上面が開口した箱形状であることを特徴とするゴミ圧縮機。
【請求項２】
機体１は開口部１４を有する箱形状で、
この機体１の開口部１４を開放する位置と閉じる位置に亘って移動する扉４４にゴミ収納部４を取付け、
前記扉４４が開放位置の時にゴミ収納部４が機体１外の取り出し位置で、閉じ位置の時にゴミ収納部４が圧縮部材２と対向したゴミ圧縮位置である請求項１記載のゴミ圧縮機。
【請求項３】
扉４４に、ゴミ受け部５０を、ゴミ収納部４の上面４ａを覆う第１位置と、解放する第２位置とに移動可能に取付けた請求項２記載のゴミ圧縮機。
【発明の詳細な説明】
【０００１】
【発明の属する技術分野】
本発明は、主として家庭の台所に設置して家庭で発生したゴミを圧縮するゴミ圧縮機に関する。
【０００２】
【従来の技術】
家庭で発生するゴミは、そのまま廃棄している。
近年、これらのゴミの発生量が多くなり、廃棄したゴミの回収、処理が社会問題となっている。
このことに鑑み、ゴミを圧縮して容積を小さくするゴミ圧縮機が種々提案されている。
例えば、特開平７−１１２２９９号公報に開示されたように、電動モータで可動板を移動して受止板上の缶を押し潰しするゴミ圧縮機が提案されている。
【０００３】
【発明が解決しようとする課題】
前述のゴミ圧縮機は、機体の下部にモータを取付けると共に、上下中間部に受止板を取付け、上部寄りに可動板を設けてあるので、モータの出力した動力を受止板を越えて可動板に伝達するから、その動力伝達系統が複雑である。
また、モータ取付用の上下方向スペースと可動板移動用の上下スペースを備えているので、機体の上下方向寸法がモータ取付用のスペースだけ大きく、ゴミ圧縮機の全高が高くなるから、台所に設置するゴミ圧縮機として好ましくない。
【０００４】
本発明は、前述の課題に鑑みなされたものであり、その目的は、電動モータの動力伝達系統が単純であると共に、全高を低くできるようにしたゴミ圧縮機を提供することである。
【０００５】
【課題を解決するための手段】
第１の発明は、機体１と、この機体１に上下移動自在に設けた圧縮部材２と、この圧縮部材２を移動する移動装置３と、前記圧縮部材２と対向したゴミ収納部４を備え、
前記圧縮部材２は圧縮部２０と外周部２１でモータ収納部２２を有する形態で、
前記移動装置３は、前記圧縮部材２のモータ収納部２２に取付けた電動モータ３０と、前記機体１に取付けたねじ杆３１と、前記圧縮部材２の外周部２１上部に回転自在に取付けられ前記ねじ杆３１に螺合したナット３２と、前記モータ３０の出力をナット３２に伝動する伝動機構を有し、
前記ゴミ収納部４は圧縮部材２が入り込む大きさの上面が開口した箱形状であることを特徴とするゴミ圧縮機である。
【０００６】
第２の発明は、第１の発明において機体１は開口部１４を有する箱形状で、
この機体１の開口部１４を開放する位置と閉じる位置に亘って移動する扉４４にゴミ収納部４を取付け、
前記扉４４が開放位置の時にゴミ収納部４が機体１外の取り出し位置で、閉じ位置の時にゴミ収納部４が圧縮部材２と対向したゴミ圧縮位置であるゴミ圧縮機である。
【０００７】
第３の発明は、第２の発明において扉４４に、ゴミ受け部５０を、ゴミ収納部４の上面４ａを覆う第１位置と、解放する第２位置とに移動可能に取付けたゴミ圧縮機である。
【０００８】
【作　用】
第１の発明によれば、圧縮部材２を移動する電動モータ３０が圧縮部材２のモータ収納部２２に取付けられ、この圧縮部材２にナット３２が回転自在に取付けてあるから、その電動モータ３０の出力をナット３２に伝動する動力伝達系統が単純である。
また、ナット３２が圧縮部材２の外周部２１上部に取付けられ、圧縮部材２はゴミ収納部４内に入り込むまで下降するので、圧縮部材２のモータ収納部２２に電動モータ３０が取付けてあることと相俟って機体１の高さは圧縮部材２の上下ストロークに見合う値であれば良く、全高を低くできる。
しかも、ゴミ収納部４は圧縮部材２が入り込む大きさの箱形状であるから、そのゴミ収納部４内にゴミを収納して満杯となったら圧縮して再びゴミを収納でき、そのゴミ収納部４を一般ゴミを収納するゴミ箱として利用できる。
【０００９】
第２の発明によれば、扉４４を引き出すことでゴミ収納部４が機体１外の取り出し位置に移動するから、そのゴミ収納部４内にゴミを収納し易いと共に、圧縮したゴミを取り出し易い。
また、扉４４を押し込むことでゴミ収納部４がゴミ圧縮位置となって圧縮部材２でゴミを圧縮できると共に、開口部１４が閉じられて機体１の内部が見えないから、台所に設置しても美観を損なうことがない。
【００１０】
第３の発明によれば、ゴミ受け部５０を第１位置として扉４４を押し込むことで、ゴミ受け部５０が圧縮部材２と対向するので、そのゴミ受け部５０上のゴミを圧縮でき、その後に扉４４を引き出すことでゴミ受け部５０が機体１外に移動するので、圧縮したゴミを取り出しできる。
よって、ゴミ受け部５０を缶、ペットボトル等の容器を圧縮する時に利用し、ゴミ収納部４は一般ゴミを収納するゴミ箱として利用できる。
【００１１】
【発明の実施の形態】
本発明の第１の実施形態を説明する。
図１と図２と図３に示すように、機体１と、この機体１に取付けた圧縮部材２と、この圧縮部材２を移動する移動装置３と、前記機体１に設けたゴミ収納部４でゴミ圧縮機を構成している。
前記機体１は、前記ゴミ収納部４が出入り可能な箱形状である。例えば、底板１０と天板１１と両側面板１２と後面板１３で前面に開口部１４を有する箱形状である。
前記圧縮部材２は、圧縮部２０と外周部２１でモータ収納部２２を有すると共に、前記ゴミ収納部４内に入り込み可能な大きさである。例えば、底面板（圧縮部）と周面板（外周部）で上面が開口した筒体形状である。
【００１２】
前記移動装置３は、電動モータ３０と、機体１に取付けたねじ杆３１と、圧縮部材２の上部寄りに回転自在に取付けたナット３２を備え、その電動モータ３０は圧縮部材２のモータ収納部２２内に設けてあり、この電動モータ３０の出力側が前記ナット３２に伝動機構で連結されて電動モータ３０を正逆回転すると圧縮部材２が上方位置と下方位置に亘って移動する。
【００１３】
詳しくは、底板１０と天板１１における左右両側寄りで前後中央部に左右一対のねじ杆３１が回転しないように取付けてある。
前記圧縮部材２の外周部２１における左右両側の前後中央部の上部にブラケット３３が固着され、このブラケット３３にナット３２が回転自在に設けてある。この各ナット３２は各ねじ杆３１に螺合していると共に、従動スプロケット３４が固着してある。具体的には図４に示すようにナット３２は筒３２ａに軸受３２ｂで回転自在に支承され、この筒３２ａがブラケット３３の孔３３ａに嵌合してボルト３２ｃで固着してある。
前記電動モータ３０の出力側に駆動スプロケット３５が固着してあり、この駆動スプロケット３５と前記従動スプロケット３４に亘って無端状の歯付きのベルト３６が巻掛けてある。つまり、駆動スプロケット３５、ベルト３６、従動スプロケット３４で前述の伝動機構としてある。ベルトの代わりにチェーンとしても良い。
このようであるから、電動モータ３０の回転は駆動スプロケット３５、ベルト３６、従動スプロケット３４を介してナット３２に伝達し、このナット３２の回転によって圧縮部材２が上下に移動する。
【００１４】
前記ゴミ収納部４は底面板４０と周面板４１で上面が開口した箱形状で、この周面板４１内に圧縮部材２が入り込む。
この実施の形態ではゴミ収納部４は機体１内の圧縮部材２と対向したゴミ圧縮位置と機体１外の取り出し位置とに亘って移動自在である。
詳しくは、ゴミ収納部４（底面板４０）にガイド４２が固着され、機体１（底板１０）にガイド受け４３が固着されている。
前記機体１の開口部１４を開閉する扉４４にゴミ収納部４が固着されている。
このようであるから、扉４４で開口部１４を閉じるとゴミ収納部４がゴミ圧縮位置に移動し、扉４４を引き出して開口部１４を開放するとゴミ収納部４が取り出し位置に移動する。
【００１５】
この実施の形態では、扉４４にゴミ受け部５０が、図１に仮想線で示すようにゴミ収納部４の上面４ａを覆う第１位置と、図３に示すように解放する第２位置とに移動可能に取付けてある。
詳しくは、ゴミ受け部材５０は皿形状の本体５１の周縁にフランジ５２を備えた形状で、その本体５１の大きさはゴミ収納部４の開口部よりも小さく、フランジ５２が上面４ａに接するようにしてある。
前記扉４４におけるゴミ収納部４よりも上方位置にゴミ受け部５０が上下回動自在に取付けてある。
ゴミ受け部５０を上方に回動すると扉４４の裏面と接するように縦向姿勢となってゴミ収納部４の上面４ａを解放し、前述の第２位置となる。
ゴミ受け部５０を下方に回動するとフランジ５２がゴミ収納部４の上面４ａに接する横向姿勢となってゴミ収納部４の上面４ａを覆い前述の第１位置となる。
【００１６】
例えば、左右のフランジ５２がヒンジ５３で扉４４に上下回動自在に連結され、保持手段５４で縦向姿勢に保持される。
前記保持手段５４は係止片で、この係止片にフランジ５２を押しつけることで係止片が弾性変形してフランジ５２を係止保持し、引張ることで係止片が弾性変形してフランジ５２が外れる。保持手段５４はこれに限ることはなく、磁石を利用したものでも良いし、可動フックであっても良い。
前記ゴミ受け部５０には引張り易いように把手５５を設けても良い。
【００１７】
前述の実施の形態によれば、圧縮部材２を上部位置とし、扉４４を押し込んで開口部１４を閉じることで、各部材が外部から見えないから外観の見栄えが良い。
また、通常時にはゴミ受け部５０を縦向姿勢に保持しておく。
扉４４を引き出すことでゴミ収納部４が取り出し位置に移動し、一般ゴミを入れることができるから、ゴミ収納部４をゴミ箱として利用できる。
【００１８】
そして、ゴミ収納部４内に一般ゴミが満杯となったら、扉４４を押し込んでゴミ圧縮位置とし、圧縮部材２を下降して一般ゴミを圧縮する。
これによって、ゴミ収納部４内の一般ゴミの容積が小さくなるので、再び一般ゴミを入れることができる。
このことを複数回繰り返して圧縮したゴミが満杯となったら、取り出しする。
【００１９】
缶・ペットボトル等の容器を圧縮する時には、扉４４を引き出してゴミ受け部５０を横向姿勢とし、そのゴミ受け部５０に容器を置く。
扉４４を押し込んでゴミ圧縮位置とし、圧縮部材２を下降して容器を圧縮する。
扉４４を引き出してゴミ受け部５０を取り出し位置とし、圧縮した容器を取り出しする。
【００２０】
前記圧縮部材２は図５に示すように、底面板２３と上面板２４を複数の杆体２５で離隔して連結して底面板２３と上面板２４との間にモータ収納部２２を有する形態で、その上面板２４のナット取付片２４ａにナット３２を回転自在に取付けるものでも良い。
前記底面板２３が圧縮部２０で、杆体２５とナット取付片２４ａが外周部２１である。
この場合には、電動モータを底面板２３に取付け、ナット３２の下部に従動スプロケット３４を設けてベルト３６が上面板２４よりも上方に突出しないようにする。
【００２１】
【発明の効果】
請求項１に係る発明によれば、圧縮部材２を移動する電動モータ３０が圧縮部材２のモータ収納部２２に取付けられ、この圧縮部材２にナット３２が回転自在に取付けてあるから、その電動モータ３０の出力をナット３２に伝動する動力伝達系統が単純である。
また、ナット３２が圧縮部材２の外周部２１上部に取付けられ、圧縮部材２はゴミ収納部４内に入り込むまで下降するので、圧縮部材２のモータ収納部２２に電動モータ３０が取付けてあることと相俟って機体１の高さは圧縮部材２の上下ストロークに見合う値であれば良く、全高を低くできる。
しかも、ゴミ収納部４は圧縮部材２が入り込む大きさの箱形状であるから、そのゴミ収納部４内にゴミを収納して満杯となったら圧縮して再びゴミを収納でき、そのゴミ収納部４を一般ゴミを収納するゴミ箱として利用できる。
【００２２】
請求項２に係る発明によれば、扉４４を引き出すことでゴミ収納部４が機体１外の取り出し位置に移動するから、そのゴミ収納部４内にゴミを収納し易いと共に、圧縮したゴミを取り出し易い。
また、扉４４を押し込むことでゴミ収納部４がゴミ圧縮位置となって圧縮部材２でゴミを圧縮できると共に、開口部１４が閉じられて機体１の内部が見えないから、台所に設置しても美観を損なうことがない。
【００２３】
請求項３に係る発明によれば、ゴミ受け部５０を第１位置として扉４４を押し込むことで、ゴミ受け部５０が圧縮部材２と対向するので、そのゴミ受け部５０上のゴミを圧縮でき、その後に扉４４を引き出すことでゴミ受け部５０が機体１外に移動するので、圧縮したゴミを取り出しできる。
よって、ゴミ受け部５０を缶、ペットボトル等の容器を圧縮する時に利用し、ゴミ収納部４は一般ゴミを収納するゴミ箱として利用できる。
【図面の簡単な説明】
【図１】本発明の実施の形態を示す縦断面図である。
【図２】図１のＡ−Ａ断面図である。
【図３】扉を引き出した状態の斜視図である。
【図４】ナット取付部の拡大断面図である。
【図５】圧縮部材の第２の実施の形態を示す斜視図である。
【符号の説明】
１…機体、２…圧縮部材、３…移動装置、４…ゴミ収納部、２０…圧縮部、２１…外周部、２２…モータ収納部、３０…電動モータ、３１…ねじ杆、３２…ナット、４４…扉、５０…ゴミ受け部。
【図１】
2004059226.tif 000003
【図２】
2004059226.tif 000004
【図３】
2004059226.tif 000005
【図４】
2004059226.tif 000006
【図５】
2004059226.tif 000007